(57)【要約】【課題】振動を検知するリモコン装置を用いることで機器の電源を簡単に素早くオンにすることができるリモコン装置を提供することである。【解決手段】リモコン装置１０は、リモコン装置１０の振動を検知する振動検知部１１を備え、振動検知部１１が振動を検知した場合、電源オン信号を出力する構成とする。【選択図】図１
2012039535.tif 000002
【特許請求の範囲】
【請求項１】
本リモコン装置の振動を検知する振動検知部を備えたリモコン装置において、
前記振動検知部が振動を検知した場合、電源オン信号を出力することを特徴とするリモコン装置。
【請求項２】
前記振動検知部が地震による振動を検知した場合、前記電源オン信号の出力に続いて、所定の放送チャンネルに切り換える選局信号を出力することを特徴とする請求項１記載のリモコン装置。
【請求項３】
前記振動検知部が加速度を検知可能であり、所定の閾値以上の加速度を検知した場合、電源オフ信号を出力することを特徴とする請求項１又は２記載のリモコン装置。
【請求項４】
請求項１〜３の何れかに記載のリモコン装置と、該リモコン装置によって遠隔操作されるテレビジョン受像機とを含むリモートコントロールシステム。
【発明の詳細な説明】
【技術分野】
【０００１】
本発明は、振動を検知するリモコン装置及びそれを含むリモートコントロールシステムに関する。
【背景技術】
【０００２】
従来から、テレビジョン受像機などを遠隔操作するリモコン装置に振動センサを備えたものが提案されている。
【０００３】
例えば特許文献１には、リモコン装置において、利用者が入力操作中であるか否かを内蔵の振動センサで検出し、入力操作中である旨を検出しているときに、操作ボタン等にて受け付けた操作入力に応じたリモコン信号出力等の所定の制御処理を行う構成が開示されている。
【０００４】
また特許文献２には、テレビを遠隔操作するリモコン装置であって、リモコン内部に重量体と、振動感知部と、選局部とを備え、リモコン本体を振る際に生じる慣性力を用いてリモコン内部の重量体を移動させて振動感知部に接触させ、この振動感知部が振動を感知すると選局部でテレビの放送チャンネルを切り換える構成が開示されている。
【０００５】
また特許文献３では、リモートコントローラには、当該リモートコントローラにおいて生じる振動を検知して情報を出力する振動情報出力部が設けられ、リモートコントローラのリモコンコード生成部は、振動情報出力部から第１閾値以上の振動が生じたとの情報を受け取ったときに、リモートコントローラの説明画像の表示指令となる表示リモコンコードを出力し、デジタル放送受信装置は、表示リモコンコードを受け取ったときには、リモートコントローラの説明画像を画面に表示するようにしたリモートコントロールシステムが開示されている。
【先行技術文献】
【特許文献】
【０００６】
【特許文献１】特開２００１−３２０７８７号公報
【特許文献２】特開２００６−１９１３４６号公報
【特許文献３】特開２００７−２９５１１９号公報
【発明の概要】
【発明が解決しようとする課題】
【０００７】
このように、特許文献１は振動を検知している場合にだけ操作を有効にする技術であり、特許文献２は振動を検知した場合にチャンネルをアップ又はダウンする技術であり、特許文献３は振動を検知した場合にテレビ画面にリモコンの説明画像を表示させる技術である。
【０００８】
しかしながら、特許文献１〜３の技術は機器の電源がオンになっている状態における動作であり、機器の電源がオフの場合には、リモコンが振動しても何ら動作はしない。
【０００９】
本発明は、振動を検知するリモコン装置を用いることで機器の電源を簡単に素早くオンにすることができるリモコン装置を提供することを目的とする。また、そのリモコン装置を含むリモートコントロールシステムを提供することも目的とする。
【課題を解決するための手段】
【００１０】
上記目的を達成するために本発明は、本リモコン装置の振動を検知する振動検知部を備えたリモコン装置において、前記振動検知部が振動を検知した場合、電源オン信号を出力することを特徴とする。
【００１１】
上記のリモコン装置において、前記振動検知部が地震による振動を検知した場合、前記電源オン信号の出力に続いて、所定の放送チャンネルに切り換える選局信号を出力するようにしてもよい。
【００１２】
また上記のリモコン装置において、前記振動検知部が加速度を検知可能とし、所定の閾値以上の加速度を検知した場合、電源オフ信号を出力するようにしてもよい。
【００１３】
また本発明のリモートコントロールシステムは、上記のリモコン装置と、該リモコン装置によって遠隔操作されるテレビジョン受像機とを含む構成とする。
【発明の効果】
【００１４】
本発明によると、リモコン装置が振動を検知した場合、電源オン信号を出力することにより、機器の電源を簡単に素早くオンにすることができ、リモコン装置の使い勝手が向上する。
【００１５】
また本発明によると、地震が発生した場合、リモコン装置を操作することなく緊急地震速報を視聴できるので、ユーザがリモコン装置を探し、電源オン操作をし、緊急地震速報を流しているチャンネルを選局操作する手間を省くことができる。
【図面の簡単な説明】
【００１６】
【図１】本発明のリモートコントロールシステムの構成を示すブロック図である。
【図２】本発明のリモコン装置の動作を示すフローチャートである。
【発明を実施するための形態】
【００１７】
本発明のリモートコントロールシステムの一例として、以下ではテレビジョン受像機とそのテレビジョン受像機用のリモコン装置とからなるシステムを用いて説明する。
【００１８】
図１は、本発明のリモートコントロールシステムの構成を示すブロック図である。このリモートコントロールシステム１は、デジタル放送を受信可能なテレビジョン受像機２０と、テレビジョン受像機２０に接続されたアンテナ３０と、テレビジョン受像機２０を遠隔操作するリモコン装置１０とを含んでいる。
【００１９】
リモコン装置１０は、振動検知部１１と、操作部１２と、メモリ１３と、発光部１４と、各部を制御する制御部１５とを備えている。
【００２０】
振動検知部１１は、少なくともリモコン装置１０自体の振動（揺れ）を検知できればよく、例えば、振動体を内蔵した振動センサを用いることができる。また振動検知部１１は、ユーザによって持ち上げられた場合の振動（持続性のない単発的な振動）と、地震による振動（Ｓ波、Ｐ波、レイリー波、ラブ波などの振動）との違いを検知できる精度のものを採用してもよい。さらに振動検知部１１は、振動の加速度を検知できる構造であってもよく、例えば、加速度センサを用いることができる。なお、複数のセンサを併用してもよい。
【００２１】
操作部１２は、テレビジョン受像機２０の電源をオン／オフさせる電源キー、選局操作のための選局キー（アップ／ダウンキー、個別のチャンネルキー、地デジキー、ＢＳキー、ＣＳキーなど）、音量調整のためのアップ／ダウンキーなどからなる。
【００２２】
メモリ１３は、テレビジョン受像機２０の電源をオンにするパワーオンコマンド（電源オン信号）、チャンネルを切り換える選局コマンド（選局信号）、テレビジョン受像機２０の電源をオフにするパワーオフコマンド（電源オフ信号）などを記憶している。これらのコマンドはメーカーの異なる各種テレビに対応して複数記憶させておくことが望ましく、その場合、どのメーカーのテレビを使っているかをユーザが指定することで、どのコマンドを用いればよいかを決定する。
【００２３】
発光部１４は、赤外光などを発光するＬＥＤからなり、各コマンドに対応した波形の赤外光を発光する。ここでは、発光部１４によって、メモリ１３から読み出したパワーオンコマンド、選局コマンド、パワーオフコマンドなどが送信（出力）される。なお、発光部１４は、リモコン装置１０のどこに配設してもよく、少なくともテレビジョン受像機２０の方向へ発光するように広範囲に発光するものが望ましい。また発光部１４は広範囲に発光するように複数設けてもよい。なお、光の代わりに電波で遠隔操作するようにしてもよい。
【００２４】
一方、テレビジョン受像機２０は、受信部２１と、音声検波回路２２と、映像検波回路２３と、スピーカ２４と、モニタ２５と、メモリ２６と、受光部２７と、各部を制御する制御部２８とを備えている。
【００２５】
放送局から送られてくる放送電波をアンテナが受信し、受信部２１は、その放送電波の中から所望の放送番組を選局して受信するチューナとしての機能を有している。受信部２１は、受信した放送電波のうち映像信号及び音声信号を抽出して、映像信号及び音声信号をそれぞれ映像検波回路２３及び音声検波回路２２に出力する。
【００２６】
音声検波回路２２は、受信部２１から入力された映像信号及び音声信号のうち音声信号を検波して、この音声信号を増幅回路（不図示）により増幅してスピーカ２４へ出力する。映像検波回路２３は、受信部２１から入力された映像信号及び音声信号のうち映像信号を検波して、この映像信号を増幅回路（不図示）により増幅してモニタ２５へ出力する。
【００２７】
メモリ２６は、テレビジョン受像機２０の電源をオンにするパワーオンコマンド（電源オン信号）、チャンネルを切り換える選局コマンド（選局信号）、テレビジョン受像機２０の電源をオフにするパワーオフコマンド（電源オフ信号）などを記憶している。受光部２７はテレビジョン受像機２０の前面に設けられ、リモコン装置１０の発光部１４からの赤外光を受光する。
【００２８】
なお、テレビジョン受像機２０は電源がオンになると、自動的に前回オフにした時点で受信していたチャンネルを受信して前回オフにした時点の音量で出力を開始する。
【００２９】
次に、このリモートコントロールシステム１の動作について説明する。図２は、リモコン装置１０の動作を示すフローチャートである。このフローチャートは振動の検知に関する動作を示している。
【００３０】
ステップＳ１０において振動検知部１１が振動を検知すると、ステップＳ１１へ進んで制御部１５はその振動が地震による振動か否かを判別する。地震かどうかの判別は、例えば、地震特有の揺れであるＳ波、Ｐ波、レイリー波、ラブ波などの振動パターンを記憶しておき、そのパターンと比較して近似していれば地震であると判断すればよい。
【００３１】
ステップＳ１１において地震による振動であると判別した場合、ステップＳ１２へ進んでメモリ１３からパワーオンコマンドを読み出し、ステップＳ１３へ進んで発光部１４からパワーオンコマンドを送信する。
【００３２】
続いてステップ１４へ進んでメモリ１３から所定チャンネルの選局コマンドを読み出し、ステップＳ１５へ進んで発光部１４からその選局コマンドを送信する。ここでの所定チャンネルとしては、緊急地震速報を流すと考えられるチャンネルであればよい。例えば公共放送が好ましく、日本ではＮＨＫ（日本放送協会）の総合テレビなどとすればよい。なお、ユーザが所望のチャンネルを予め設定できるようにしてもよい。
【００３３】
これにより、地震発生時には自動的にテレビジョン受像機２０の電源がオンになって、緊急地震速報が流れるであろうチャンネルが自動的に選局される。したがって、地震発生時にユーザがリモコン装置を探し、電源オン操作をし、緊急地震速報を流しているチャンネルを選局操作する手間を省くことができる。
【００３４】
一方、ステップ１１において地震による振動でないと判別した場合、ステップＳ１６へ進んで制御部１５はその振動が所定の閾値以上の加速度を有するか否かを判別する。ここで所定の閾値は、通常リモコン装置１０を持ち上げる加速度よりも大きく設定することが好ましい。つまり、意図的にリモコン装置１０を振った場合の加速度が閾値以上となるように設定することが好ましい。
【００３５】
ステップＳ１６において振動が所定の閾値以上の加速度である場合、ステップＳ１７へ進んでメモリ１３からパワーオフコマンドを読み出し、ステップＳ１８へ進んで発光部１４からパワーオフコマンドを送信する。
【００３６】
これにより、ユーザはリモコン装置１０を意図的（強め）に振ることでテレビジョン受像機２０の電源をオフにすることができる。したがって、ユーザはリモコン装置１０を持ち上げ、操作部１２を見て電源キーを探して押下するという一連の動作よりも簡単な操作をするだけなので使い勝手がよい。
【００３７】
一方、ステップＳ１６において振動が所定の閾値未満の加速度である場合、ステップＳ１９へ進んでメモリ１３からパワーオンコマンドを読み出し、ステップＳ２０へ進んで発光部１４からパワーオンコマンドを送信する。
【００３８】
これにより、ユーザはリモコン装置１０を持ち上げることでテレビジョン受像機２０の電源をオンにすることができる。したがって、ユーザはリモコン装置１０を持ち上げ、操作部１２を見て電源キーを探して押下するという一連の動作よりも簡単な操作をするだけなので、電源を簡単に素早くオンにすることができ使い勝手がよい。
【００３９】
なお、ステップＳ１１〜Ｓ１８を省略し、ステップＳ１０で振動を検知した場合、ステップＳ１９へ進むようにしてもよい。これにより、リモコン装置１０がいかなる理由で振動した場合でもテレビジョン受像機２０の電源がオンになる。
【００４０】
また、ステップＳ１６〜Ｓ１８を省略し、ステップＳ１１でＮｏの場合、ステップＳ１９へ進むようにしてもよい。また、ステップＳ１１〜Ｓ１５を省略し、ステップＳ１０でＹｅｓの場合、ステップＳ１６へ進むようにしてもよい。
【００４１】
さらに、ステップＳ１１〜Ｓ１８を省略するモード、ステップＳ１６〜Ｓ１８を省略するモード、ステップＳ１１〜Ｓ１５を省略するモードなど、ユーザが好みで各種モードを設定できるようにしてもよい。
【００４２】
なお、地震によって自動的にテレビジョン受像機２０の電源がオンになった場合、所定時間（例えば３０分）何も操作がなければ自動的に電源オフにするようにしてもよい。これにより、留守の際に地震があった場合に、テレビジョン受像機２０の電源がオンになったままになることを防止できる。
【００４３】
なお、上記の実施形態で用いているパワーオンコマンドは、一般的にテレビジョン受像機をはじめとするＡＶ（Audio Visual）機器で採用されているコマンドであり、通常、電源をオフにするパワーオフコマンドと共通である。リモコン装置１０は、一般的なパワーオンコマンドを採用することで安価に提供でき、どのメーカーのＡＶ機器にも対応できるという利点がある。
【００４４】
ところで、テレビジョン受像機２０の電源がオフの場合にのみオンにする、つまり、テレビジョン受像機２０の電源がオフの場合はオンにし、オンの場合はオンの状態を維持する、という特殊なパワーオンコマンドを採用してもよい。この場合、テレビジョン受像機２０にこの特殊なパワーオンコマンドに対する処理を組み込んでおく必要がある。そして、この特殊なパワーオンコマンドを受信したテレビジョン受像機２０は、電源がオンであるか否かを判定し、オフの場合はオンにし、一方、オンの場合は何の処理もしないように制御すればよい。
【００４５】
このように、特殊なパワーオンコマンドを採用すれば、既にテレビジョン受像機２０の電源が入っている場合にパワーオンコマンドを受信してもテレビジョン受像機２０の電源がオフにならない。したがって、リモコン１０を持ち上げると確実にテレビジョン受像機２０がオンになっているので使い勝手が向上する。また、パワーオフコマンドについても同様である。
【産業上の利用可能性】
【００４６】
本発明のリモコン装置は、ＣＤ、ビデオカセット、ＤＶＤ、ＢＤ（Blu-ray Disc）、ハードディスクなどを記録媒体とする再生機や記録再生機、テレビジョン受像機などのＡＶ機器をはじめ、各種電気機器用に利用することができる。
【符号の説明】
【００４７】
１  リモートコントロールシステム
１０  リモコン装置
１１  振動検知部
１２  操作部
１３  メモリ
１４  発光部
１５  制御部
２０  テレビジョン受像機
２１  受信部
２２  音声検波回路
２３  映像検波回路
２４  スピーカ
２５  モニタ
２６  メモリ
２７  受光部
２８  制御部
３０  アンテナ
【図１】
2012039535.tif 000003
【図２】
2012039535.tif 000004